(57)【要約】  バックライト装置（２０）は、畝状の複数の隔壁（２３１）で複数の反射領域（２３２）に区画された反射面を有する反射シート（２３）と、複数の反射領域（２３２）のそれぞれに配置される複数の光源（２１）と、反射面に対向する第１面から入射する光を透過させて第２面から出射する輝度均一板（２４）と、第２面から出射して入射する光を拡散して出射する拡散板（２５）とを備え、輝度均一板（２４）は、光源（２１）と対向する領域と、隔壁（２３１）の頂部に対向する領域との間に、光源（２１）と対向する領域及び隔壁（２３１）の頂部に対向する領域よりも単位面積あたりの光透過率が高い領域を含む。
2017110013.tif 000002
【特許請求の範囲】
【請求項１】
複数の畝状の隔壁で複数の反射領域に区画された反射面を有する反射シートと、
前記反射面の前記複数の反射領域のそれぞれに配置される複数の光源と、
前記反射面に対向する第１面で受けた前記複数の光源からの出射光及び前記反射シートからの反射光を透過させて、前記第１面と反対側の第２面から出射する輝度均一板と、
前記第２面から出射した光を、拡散して出射する拡散板とを備えるバックライト装置であって、
前記輝度均一板は、前記光源に対向する領域と、前記隔壁の頂部に対向する領域との間に、前記光源と対向する領域及び隔壁の頂部に対向する領域よりも単位面積あたりの光透過率が高い領域を含む
バックライト装置。
【請求項２】
前記輝度均一板は、前記第１面と前記第２面との間を貫通する複数の貫通孔を有し、
前記輝度均一板の前記単位面積あたりの前記貫通孔の開口面積と前記光透過率とが正の相関を有する
請求項１に記載のバックライト装置。
【請求項３】
前記輝度均一板の、前記複数の隔壁に対向する領域の少なくとも一部では、
前記単位面積あたりの開口面積と前記隔壁の頂部からの距離とが正の相関を有する
請求項２に記載のバックライト装置。
【請求項４】
前記輝度均一板の、前記複数の隔壁に対向しない領域の少なくとも一部では、
前記単位面積あたりの開口面積と前記光源からの距離とが正の相関を有する
請求項２又は３に記載のバックライト装置。
【請求項５】
前記反射領域に対向する前記輝度均一板の領域内における前記単位面積あたりの光透過率は、前記光源と対向する領域において最小値をとり、
前記光源と対向する領域と、前記隔壁の頂部に対向する領域との間で最大値をとる
請求項２から４のいずれか１項に記載のバックライト装置。
【請求項６】
前記反射シートは、前記複数の隔壁の上で前記輝度均一板に向かって突出して前記輝度均一板を支持する支持柱をさらに有し、
前記複数の隔壁に対向する領域における前記支持柱の周囲では、前記単位面積あたりの開口面積と前記隔壁の頂部からの距離とが正の相関を有さない
請求項３から５のいずれか１項に記載のバックライト装置。
【請求項７】
液晶パネルと、
前記液晶パネルの背面側に配置され、前記液晶パネルに対応する大きさの請求項１から６のいずれか１項に記載のバックライト装置とを備えた液晶表示装置。
【発明の詳細な説明】
【技術分野】
【０００１】
本開示は、複数の光源を含むバックライト装置と、当該バックライト装置を備えた液晶表示装置とに関する。
【背景技術】
【０００２】
液晶表示装置は薄型、低消費電力、高精細などの特徴を有し、製造技術の発達による画面サイズの大型化も伴い、テレビジョン受信機分野への普及が進行している。しかしながら液晶表示装置では、その表示方法に起因する、表示される画像のコントラスト（ダイナミックレンジ）の低さが指摘されている。そのため、近年は表示画像の画質向上に関する技術開発が盛んになされている。【０００３】
テレビジョン受信機に用いられる液晶表示装置は、その表示面全体を背面側から照らすバックライト装置を備える。このバックライト装置の光源としては、粒状の発光ダイオード（ｌｉｇｈｔ−ｅｍｉｔｔｉｎｇ  ｄｉｏｄｅ、以下ではＬＥＤと表記する）を液晶パネルの裏側に複数並べたものが用いられる。そしてこの複数の光源で照らされる領域全体で均一な輝度を得るために、液晶パネルが設置される側とは反対側に光反射シートが設けられたり、液晶パネルとこれらの光源との間に光拡散板が設けられたりする。また、反射シート上に格子状の隔壁を設けて複数の反射領域に分割し、各反射領域に上記の光源を設けて、各光源による反射領域間での干渉を隔壁で抑えながらこれらの反射領域単位での輝度制御（エリア制御、又はローカルディミングともいわれる）を可能にしている（特許文献１参照）。これにより、例えば画面内で明るい部分と暗い部分とに分かれるようなシーンを表示する際に、これらの部分間のコントラストが高まるように、各部分での明るさに応じて反射領域単位で輝度が制御される。
【先行技術文献】
【特許文献】
【０００４】
【特許文献１】特開２０１１−１５１００２号公報
【発明の概要】
【発明が解決しようとする課題】
【０００５】
従来の液晶表示装置では、各反射領域内での輝度の均一度への隔壁による影響の抑制が不十分であり、各反射領域内で輝度ムラを生じる。その結果、バックライト装置全体では画面内の明るい部分と暗い部分とのコントラストが十分に高められないという問題がある。【０００６】
本開示は、このような輝度ムラをさらに抑制し、画面全体でのより高いコントラストの表現が可能な液晶表示装置を提供する。
【課題を解決するための手段】
【０００７】
本開示に係るバックライト装置は、複数の畝状の隔壁で複数の反射領域に区画された反射面を有する反射シートと、前記反射面の前記複数の反射領域のそれぞれに配置される複数の光源と、前記反射面に対向する第１面で受けた前記複数の光源からの出射光及び前記反射シートからの反射光を透過させて、前記第１面と反対側の第２面から出射する輝度均一板と、前記第２面から出射した光を、拡散して出射する拡散板とを備えるバックライト装置であって、前記輝度均一板は、前記光源に対向する領域と、前記隔壁の頂部に対向する領域との間に、前記光源と対向する領域及び隔壁の頂部に対向する領域よりも単位面積あたりの光透過率が高い領域を含む。【０００８】
また、本開示に係る液晶表示装置は、液晶パネルと、前記液晶パネルに対応する上記のバックライト装置とを備える。
【発明の効果】
【０００９】
本開示に係るバックライト装置は出射光の輝度ムラが抑制され、画面全体でのより高いコントラストの表現が可能な液晶表示装置の実現に有効である。
【図面の簡単な説明】
【００１０】
【図１】図１は、実施の形態における液晶表示装置全体の概略構成を示す分解斜視図である。
【図２】図２は、実施の形態における反射シートの部分拡大図である。
【図３】図３は、実施の形態における光源、複数の隔壁、及び輝度均一板の位置関係を示す模式図である。
【図４】図４は、実施の形態における輝度均一板の一例の平面図である。
【図５】図５は、実施の形態における輝度均一板の単位パターン及びこの単位パターン内での光透過率の一例を示す図である。
【図６】図６は、実施の形態の変形例における反射シートの部分拡大図である。
【発明を実施するための形態】
【００１１】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、当業者が本開示を十分に理解するために添付図面および以下の説明を提供するのであって、これらによって請求の範囲に記載の主題を限定することを意図するものではない。
【００１３】
（実施の形態）
以下、図１〜５を用いて、実施の形態を説明する。
【００１４】
図１は、実施の形態における液晶表示装置全体の概略構成を示す分解斜視図である。
【００１５】
［１−１．構成］
［１−１−１．液晶表示装置の構成］
図１に示すように、液晶表示装置１０は、液晶パネル１１と、ベゼル１２と、液晶パネル１１の背面側に配置され、液晶パネル１１に対応する大きさの直方形上のバックライト装置２０とからなる。
【００１６】
液晶パネル１１は長方形の平板形状を有する透過型の液晶パネルであり、その背面に位置するバックライト装置２０から出射された光を透過又は遮断することで画像を表示する。
【００１７】
ベゼル１２は、液晶表示装置１０の前面のケーシングであり、液晶パネル１１を囲繞してその周縁部分を保護する。ベゼル１２の材料としては、製品におけるデザイン性や軽量性などの観点から、主にプラスチック樹脂が使用される。
【００１８】
［１−１−２．バックライト装置の構成］
バックライト装置２０は、複数の光源２１が実装された複数のプリント基板２７、複数のプリント基板２７を収容するシャーシ２２、液晶パネル１１と光源２１との間に配置される光学部２６、拡散板２５、輝度均一板２４、及び反射シート２３を備える。
【００１９】
プリント基板２７は、図示しない電源から電力の供給を受け、この電力を各光源２１に駆動電力として供給する。本開示におけるプリント基板２７は略矩形の形状を有し、長手方向に沿って６個の光源２１を一列に実装している。図１によれば、複数のプリント基板２７はシャーシ２２内に７行×２列に配置されている。プリント基板２７のこの配置の結果、複数の光源２１はマトリクス状に配置されている。なお、プリント基板２７の形状、大きさ、枚数、配置、及び各プリント基板２７に実装される光源２１の数は本開示の要旨ではなく、本発明を限定するものではない。
【００２０】
複数の光源２１は、それぞれが赤色光、青色光、緑色光などの単色の光を発光する光源を複数種類用いて構成されてもよいし、または、白色光を発光する光源のみで構成されてもよい。例えばＬＥＤがこのような光源２１として用いられる。
【００２１】
シャーシ２２は、液晶表示装置１０の背面のケーシングでもある。シャーシ２２は、例えばプラスチック、表裏に高放射性セラミックスシートが貼付された金属、又は黒色などのアルマイト処理された金属や、カーボンブラックを塗布した金属を材料とする部品で構成される。これらの金属としては、例えばアルミニウムや鉄などを主成分とした合金などが用いられる。
【００２２】
反射シート２３は略平板形状の樹脂からなる部品であり、その主面は例えば鏡面、白色等で、この主面に落射する光を効率よく反射する。以下、この主面を反射面ともいう。この反射面は、格子状に並ぶ、複数の畝状の隔壁２３１によって、マトリクス状に並ぶ複数の反射領域２３２に区画される。ここでいう畝状とは、隔壁２３１の延伸方向に垂直な断面の形状が、略三角形若しくは略台形のように、頂部に向かって（シャーシ２２がある方向と反対の方向に向かって）幅が狭くなる形状を指す。
【００２３】
各反射領域２３２の縦横のピッチはシャーシ２２上にある光源２１の縦横のピッチとそれぞれ共通である。例えば反射領域２３２の縦横のピッチをいずれも５０ｍｍとすると、各光源２１は５０ｍｍごとに配置される。また、各反射領域２３２は略中央に開口部２３３を備える。図２は、本実施の形態におけるシャーシ２２の上に反射シート２３を重ねた状態の部分拡大図である。開口部２３３は、この状態で光源２１が反射シート２３の表面に出るよう設けられる。したがって、組立状態の液晶表示装置１０では、光源２１は反射領域２３２のそれぞれに配置される。そして反射シート２３は、各光源２１から出射された光を輝度均一板２４の方向に反射する。このような反射シート２３は、例えば樹脂の平板に真空成形によって凹凸を付けて作成される。例えば畝状の隔壁２３１は、高さ４．５ｍｍで、５０ｍｍのピッチで設けられる。また、必要に応じて孔開け等の加工が施される。
【００２４】
輝度均一板２４は、高反射性であって透光性も有する樹脂（例えばポリエチレンテレフタラート）を材料とする板状体の部品である。輝度均一板２４は、組立状態の液晶表示装置１０において一方の主面（以下、第１面ともいう）が反射シート２３の反射面と距離を置いて対向するよう配置され、この第１面で光源２１からの出射光と反射シート２３からの反射光を受ける。そしてこれらの出射光及び反射光を透過させて、第１面とは反対側の主面である第２面から輝度の均一度を高めた光として出射する。輝度の均一度を高めた光として出射するための輝度均一板２４の構成については後述する。このような輝度均一板２４は、材料である上記の樹脂を例えばプレス加工によって成形して作成される。
【００２５】
拡散板２５は、空気よりも高い屈折率を有する板状体の部品であり、例えばポリメチルメタクリレート等のアクリル樹脂、又はポリカーボネート等を主とし、さらに全体に分散させた微小な粒子を含む材料からなる。組立状態の液晶表示装置１０では、拡散板２５は輝度均一板２４の第２面側に位置し、その主面のうち輝度均一板２４の第２面に対向する面から入射した光をこの粒子によって拡散して、この主面と反対側の主面から出射する。このような拡散板２５は、例えば上記の材料を射出成形して作成することができる。
【００２６】
光学部２６は、組立状態の液晶表示装置１０において液晶パネル１１と拡散板２５との間に位置し、拡散板２５の光が出射する面に主面で対向する。光学部２６は、液晶パネル１１に対応する大きさで、拡散板２５からの出射光をさらに拡散及び集光するための光学シート積層体を備える。この光学シート積層体は、例えば、拡散板２５からの入射光を液晶パネル１１がある方向に向けて集光するプリズムシート、拡散板２５からの入射光をさらに拡散する拡散シート、拡散板２５からの入射光のうち、液晶パネル１１の偏光軸に対応する特定の偏光面の光を透過させる偏光シート等により構成される。光学部２６から出射した光は入射時より輝度が均一化され、液晶表示装置１０の面光源としてのバックライト装置２０の輝度の均一度はより高められる。
【００２７】
これらの構成要素が組み立てられてなるバックライト装置２０において、輝度均一板２４に第１面から入射する光源２１由来の光は、経路の異なる次の３種類に分けることができる。ひとつは光源２１からの直接光である。もうひとつは、光源２１から出射されてから１回のみ反射シート２３に反射して入る反射光である。さらに別のひとつは、光源２１から出射された後、反射シート２３にｍ回、輝度均一板２４にｎ回反射して入る反射光である（ｍは１以上の整数、ｎは１以上の整数であって、ｍとｎとの和は２以上の整数）。これらの３種類の光からなる輝度均一板２４への入射光は、各反射領域２３２に対向する領域内で光が合算され、その光が輝度均一板を介して輝度の均一度が高められてから液晶パネル１１に向けて出射される。以下では、これらの構成要素のうち、輝度均一板２４が輝度の均一度を高める構成について説明する。
【００２８】
［１−１−３．輝度均一板の構成］
以下では、輝度均一板２４が、第１面への入射光を輝度の均一度を高めた光として第２面から出射するための構成について例を用いて説明する。ただしその前に、均一度が高められる前の、輝度均一板２４への入射光の強さのムラについてより詳細に説明する。
【００２９】
図３は、本実施の形態におけるバックライト装置２０の１つの反射領域２３２上の光源２１、複数の隔壁２３１、及び輝度均一板２４の位置関係を示す模式図である。（ａ）は反射シート２３及び輝度均一板２４の断面図であり、（ｂ）は反射シート２３を輝度均一板２４側から見た平面図である。破線は４つの隔壁２３１（ここではこれらを区別し、（ａ）と（ｂ）との間での対応を示すために隔壁２３１ａ〜２３１ｄの参照符号を付す）で囲まれる反射領域２３２の境界、及び輝度均一板２４のこの反射領域２３２に対向する領域の境界を示す。点線の矢印Ｌ１〜Ｌ６は、第１面に向かう光の経路の例を示す。なお、図３では、隔壁２３１の断面の輪郭は、直線で構成されているが、隔壁２３１は、その断面が、直線、曲線、又はこれらの両方から構成される形状であってもよい。また隔壁２３１は反射シート２３の山折部分として描画されているが、隔壁２３１は反射シート２３の反射面側における畝状の突出であればよく、その構造は図示のものに限定されない。
【００３０】
輝度均一板２４への入射光は、光源２１からの出射後の移動距離に応じて、より具体的には、移動距離の２乗に反比例するよう減衰する。例えば、上記の３種類の光のうち、直接光は光源２１から出射して輝度均一板２４の第１面に到達するまでの経路の距離に応じて減衰する。本図の（ａ）における、矢印Ｌ１及び矢印Ｌ２、並びに（ｂ）における矢印Ｌ５及びＬ６の長さは、光源２１からの直接光の移動距離を示し、入射光はこの移動距離と相関して減衰している。つまり、光源２１からより遠くで輝度均一板２４に入射する入射光ほど、より減衰している。また、本実施の形態におけるバックライト装置２０では、反射シート２３は輝度均一板２４側に突出する隔壁２３１を有するため、反射面と第１面との距離は場所によって異なる（例えば矢印Ｌ３とＬ４）。したがって、直接光と同様に、反射光も入射場所によって減衰の程度が異なる。なお、輝度均一板２４へ入射する反射光の強度は上記のような移動距離のみではなく、入射までに反射シート２３及び輝度均一板２４で反射された回数とも相関する。より正確には、反射光は、移動距離に加えて、反射シート２３の反射率のｍ乗及び輝度均一板２４のｎ乗（ｍ、ｎは上述どおり）とも相関して弱まる。
【００３１】
このように、光源２１から出射された光には、輝度均一板２４への入射までにいくつかの減衰の要因があり、また、減衰の程度には、ひとつの反射領域２３２と対向する輝度均一板２４の領域内で場所によって差がある。上記では隔壁２３１に対向する領域とそれ以外の領域で比較したが（矢印Ｌ３とＬ４）、隔壁２３１に対向する領域内でも反射面からの距離に差があるため、反射光の減衰の程度に差がある。例えば隔壁２３１の最も高い部分（以下、隔壁２３１の頂部ともいう）で反射されてこの部分に対向する領域に入る反射光は、移動距離による減衰率が最も小さい。
【００３２】
このような直接光及び反射光からなる入射光の、１つの反射領域２３２に対向する輝度均一板２４の領域全体での強度は、例えば光源２１に対向する領域で最も強く、光源２１から遠ざかるにつれて弱まり、各隔壁２３１に対向する領域では光源２１から遠ざかるにつれて、つまり頂部に近づくにつれて強くなる、という分布を示す。ただし、このような分布においても、輝度均一板２４が隔壁２３１の頂部に対向する領域での入射光は、光源２１に対向する領域よりも弱い。
【００３３】
なお、図３に示される光源２１、複数の隔壁２３１、及び輝度均一板２４の位置関係は複数の反射領域２３２及びこれらに対抗する輝度均一板２４の各領域に共通している。したがって、上述した入射光の強度の分布は、いずれの反射領域２３２に対向する輝度均一板２４の領域でも共通に見られる。
【００３４】
本開示では、輝度均一板２４の反射領域２３２に対向する各領域内での、上記入射光に対する透過率（以下、単に光透過率ともいう）に所定のパターンで変化を付けることで当該領域内の第２面から出射される光の輝度の均一度を高める。この所定のパターンとは、具体的には、輝度均一板２４の各反射領域２３２に対向する領域において、輝度均一板２４の光透過率の分布が、輝度均一板２４への入射光の強さと負の相関を有するものである。これにより、各場所での入射光の強さと光透過率との積を一定に近づけて、輝度均一板２４からの出射光の輝度の均一度を高める。その結果、画面全体で表示される画像に応じた当該画面内の明るい部分と暗い部分とのコントラストが高められる。以下、輝度均一板２４への入射光の強度が上述の分布を示す場合を例に、この所定のパターンを実現する輝度均一板２４の構成について説明する。
【００３５】
図４は、本実施の形態における輝度均一板２４の一例の平面図（部分）である。本図中に見られる多数の円は、輝度均一板２４の第１面と第２面との間を貫通する貫通孔２４１を示す。つまり本図に示される輝度均一板２４は、第１面と第２面との間を貫通する複数の貫通孔２４１を有する。この例における貫通孔２４１には、大きさ（各貫通孔の開口面積）にバリエーションがある。大きさが異なるこれらの貫通孔２４１は、輝度均一板２４の１つの反射領域２３２に対向する領域全体で１つのパターンをなすよう配置され、このパターンが輝度均一板２４全体に渡って縦横に繰り返されている。なお、このような１つのパターンをなすよう配置される複数の貫通孔２４１は、例えば上述した輝度均一板２４を作成するためのプレス加工の一工程で、樹脂材料の平板を貫通する複数の突起を備える型を用いて設けられる。
【００３６】
上記の光透過率の所定のパターンは、この１つの反射領域２３２に対向する領域全体に渡るパターン（以下、単位パターンという）によって実現される。以下、この単位パターンについて説明する。
【００３７】
図５は、本実施の形態における輝度均一板２４の単位パターン及びこの単位パターン内での光透過率の一例を示す図である。この単位パターンは本図の（ｃ）に示され、（ｂ）に示されるのは、この単位パターンを持つ輝度均一板２４の線Ａ上の光透過率及び線Ｂ上の光透過率を示すグラフである。本図の（ｄ）は、反射シート２３を本図の（ｃ）における線Ａを含む平面で切断して得られる切断面を示す断面図である。なお、この断面図は基本的には図３の（ａ）に示される断面図と共通であり、本図では、この反射領域を挟む２つの隔壁２３１のそれぞれに図３と共通の参照符号を付している。（ａ）は、（ｂ）に示される光透過率を有する輝度均一板２４が、上述の強度分布の入射光を受けて出射する出射光の強度を示すグラフである。なお、（ａ）及び（ｂ）のグラフの横軸は、（ｃ）に示される単位パターンの左右方向の位置、及び（ｄ）に示される反射シート２３の左右方向の位置と対応する。
【００３８】
ここで、この単位パターンの説明で用いられる光透過率とは、単位面積あたりの光透過率を意味する。つまりこのグラフが示す光透過率は、単位面積の領域内で、第１面への入射光に対する、貫通孔２４１を通過して第２面側の開口から出た光と樹脂を通過して第２面側に現れた光との合計の割合である。なお、本開示における単位面積を有する領域は、任意の貫通孔２４１の開口に収まらないものとする。
【００３９】
まず、本図の（ｂ）及び（ｃ）を参照しながら、この単位パターンを持つ輝度均一板２４の構成と光透過率との関係について説明する。
【００４０】
輝度均一板２４は上述のとおりその素材自体が透光性を有しているが、透明ではない。より具体的には、輝度均一板２４は貫通孔２４１を有する樹脂性の白色の板状体である。したがって輝度均一板２４は、貫通孔２４１を含まない任意の領域においても光をある程度透過させる。例えば、線Ａに対応するグラフの中央付近にある光透過率が一定の範囲は、（ｃ）の図の中央付近の、貫通孔２４１が無い領域に対応する。この範囲で光透過率がゼロでないのは、輝度均一板２４の素材自体の透光性による。一方、貫通孔２４１は輝度均一板２４の材料である樹脂よりも高い割合（実質的には１００％）で光を輝度均一板２４の第１面側から第２面側に通過させる。したがって、単位面積の領域内では、貫通孔２４１の開口面積が大きいほどこの領域の光透過率は大きくなる。別の表現をすると、輝度均一板２４の単位面積あたりの貫通孔２４１の開口面積と、光透過率とは正の相関を有する。そして場所によって単位面積あたりの開口面積（以下、開口率ともいう）を変えることで、輝度均一板２４の、ひとつの反射領域２３２に対向する領域内での光透過率に変化を付けている。つまり、開口率を上げることで光透過率を大きくし、開口率を下げることで光透過率を小さくしている。本図の（ｃ）に例示される単位パターンでは、貫通孔２４１が存在する領域では貫通孔２４１の間のピッチは均等であり、各貫通孔２４１の大きさを変えることで開口率に変化を付け、これにより光透過率に変化を付けている。
【００４１】
次に、単位パターン内での輝度均一板２４の光透過率の変化のさせ方について、本図の（ａ）から（ｄ）を参照してより詳細に説明する。
【００４２】
本実施の形態において、ひとつの反射領域２３２に対向する輝度均一板２４の領域での入射光の強度は、上述のとおり、光源２１に対向する領域で最も強く、光源２１から遠ざかるにつれて弱まり、各隔壁２３１に対向する領域では頂部に近づくにつれて強くなる。つまり、輝度均一板２４の隔壁２３１と対向しない領域では、入射光の強度と光源２１からの距離とが負の相関を有する。本実施の形態におけるバックライト装置２０では、光源２１からの距離と輝度均一板２４の光透過率との間に、この領域内での入射光の強さと光透過率との積が一定に近づくような正の相関を持たせる。これにより、この領域内での輝度均一板２４の第２面からの出射光の輝度を、本図の（ａ）に示されるような、光源２１からの距離によらず一定の状態に近づけることができる。そしてこの正の相関を実現するために、輝度均一板２４の隔壁２３１と対向しない領域では、輝度均一板２４の単位面積あたりの開口面積と光源２１からの距離とが正の相関を有するよう貫通孔２４１が輝度均一板２４に設けられる。この領域は、図５ではＩＩＩ及びＩＶで示される範囲に略相当する。なお、本図の（ｂ）で、線Ａ上の光透過率と線Ｂ上の光透過率とで同じ左右位置であっても差があるのは、光源２１からの距離の差による光の減衰の程度の差を反映させたものである。
【００４３】
なお、この領域内であっても光源２１に対向する領域及びその近傍には、本図のように貫通孔２４１を設けない領域があってもよい。この領域は、図５ではＩＶで示される範囲に略相当する。このように貫通孔２４１が設けられない領域は、例えば光源２１の配光分布、及び輝度均一板２４による入射光の拡散（輝度均一板２４内での散乱）の程度等に応じて適宜決定される。
【００４４】
一方、隔壁２３１と対向する輝度均一板２４の領域内では、入射光の強度と隔壁２３１からの距離とが負の相関を有する。この領域内で輝度均一板２４の第２面から均一な輝度で光を出射するために、本実施の形態におけるバックライト装置２０では、この領域内での入射光の強さと光透過率との積が一定に近づくような正の相関を持たせる。これにより、この領域内での輝度均一板２４の第２面からの出射光の輝度を、本図の（ａ）に示されるような、頂部からの距離によらず一定の状態に近づけることができる。そしてこの正の相関を実現するために、輝度均一板２４の隔壁２３１と対向する領域では、輝度均一板２４の単位面積あたりの開口面積と隔壁２３１の頂部からの距離とが正の相関を有する領域があるよう貫通孔２４１が輝度均一板２４に設けられる。この領域は、図５ではＩ及びＩＩで示される範囲に略相当する。
【００４５】
このように貫通孔２４１が設けられる輝度均一板２４の光透過率の分布を、ひとつの反射領域２３２に対向する輝度均一板２４の領域全体で見て説明する。まず、光源２１と対向する領域と、隔壁２３１の頂部に対向する領域との間に、これらの領域のいずれよりも光透過率が高い領域がある。この領域をより具体的に示すなら、輝度均一板２４が隔壁２３１に対向する領域と、それ以外の領域の境界の近傍ともいえる。図５の（ｂ）でいえば、ＩＩで示される範囲とＩＩＩで示される範囲の境界付近にある、各曲線のピーク近傍の領域がこの領域である。また、光透過率は光源２１と対向する領域で最小値をとる。この領域は、図５ではＩＶで示される範囲に含まれる。一方、最大値は光源２１と対向する領域と、隔壁２３１の頂部に対向する領域との間でみられる。図５の（ｃ）でいえば、輝度均一板２４の隔壁２３１と対向しない領域の内側であって、その隅付近にあるひとつの貫通孔２４１の開口面積が最も高い（つまり光透過率が高い）。
【００４６】
ただし、これらの領域の境界はこれらの位置関係に基づいて厳密に定まるものではない。反射シート２３の反射面による光の散乱や、輝度均一板２４による入射光の拡散（輝度均一板２４内での散乱）の特性等によってある程度変動しうる。そのため、輝度均一板２４の設計においては、これらの変動要素による影響を考慮して光透過率の分布を適宜調整する必要がある。
【００４７】
［１−１−４．輝度均一板の構成の変形例］
図５に示される単位パターンの例では、貫通孔２４１は均等なピッチで配置され、各貫通孔２４１の大きさを変えることで開口率に変化を付けているが、本発明における輝度均一板２４の構成はこれに限定されない。上述のような輝度均一板２４の単位パターン内の光透過率分布が得られるのであればどのような構成であってもよい。
【００４８】
例えば、複数の貫通孔２４１の開口面積は同一であって、単位面積あたりの貫通孔２４１の個数、つまり貫通孔２４１の密度を変えることで開口率を変化させてもよい。
【００４９】
また、図５に示される単位パターンの例では、隔壁２３１と対向しない領域内における各貫通孔２４１の開口面積には光源２１からの距離と正の相関がみられるが、貫通孔２４１ごとの開口面積にバリエーションがある場合、この相関は無くてもよい。つまり、光源２１からの距離と開口率との間に正の相関が成立すればよく、複数の貫通孔２４１によって開口率を満たすようにしてもよい。例えば場所によっては、より大きい開口面積の貫通孔２４１が、より小さい開口面積の貫通孔２４１を囲むように設けられてもよい。または、より小さい開口面積の貫通孔２４１が、より大きい開口面積の貫通孔２４１を囲むように設けられてもよい。
【００５０】
また、貫通孔２４１の配置は、図５に示される単位パターンの例に限定されない。例えば光源２１の中心の真上にあたる位置を中心とする同心円の円周に沿って配置されてもよい。また、同位置を中心とする円の半径に沿って配置されてもよい。また、これらの配置を組み合わせてもよい。
【００５１】
また、貫通孔２４１の形状は、図４及び図５に示されるような円形に限定されない。また、すべての貫通孔２４１の形状が合同又は相似でなくてもよい。つまり、貫通孔２４１の形状にバリエーションがあってもよい。
【００５２】
また、貫通孔２４１を含まない構成によって、輝度均一板２４の光透過率と輝度均一板２４が第１面で受ける光の強さとに負の相関を持たせてもよい。例えば、遮光性を有する塗料等の遮光剤を所定のパターンで輝度均一板２４に塗布することで輝度均一板２４の光透過率に変化を付けてもよい。例えばこの遮光剤の、輝度均一板２４の単位面積あたりの塗布面積を変えて塗布することで輝度均一板２４の光透過率に変化を付けてもよい。この場合、例えば場所によって面積の異なるドットを描くように塗料を塗布したり、塗料で描くドットの密度を変えたりすることで実現される。または、場所によってこの塗料の濃度を変化させてもよいし、光透過率の異なる塗料が用いられてもよい。または、貫通孔２４１に代えて非貫通孔を用いてもよい。つまり、輝度均一板２４の単位面積あたりの厚さの平均に変化を付けることで輝度均一板２４の光透過率に変化を付けてもよい。これらの貫通孔を含まない構成も、輝度均一板２４の光透過率分布が上述と同様の特性を有するよう適用される。
【００５３】
また、貫通孔２４１と上記の遮光剤又は非貫通孔とが併用されてもよい。
【００５４】
［１−２．その他の変形例］
以下に、輝度均一板２４の構成の変更を伴う、輝度均一板２４以外の構成要素の変更に関する上記の実施の形態の変形例について説明する。
【００５５】
図６は、上記の実施の形態の一変形例に係る反射シート２３ａの部分拡大図である。
【００５６】
反射シート２３ａは、輝度均一板２４がある方向に突出する隔壁２３１の上で、さらに輝度均一板２４に向かって突出する支持柱２３４を有する点が反射シート２３と異なる。
【００５７】
この支持柱２３４は、輝度均一板２４が有する孔にその先端が嵌入される状態で輝度均一板２４を支持する。これにより、例えば輝度均一板２４が自重でたわむことが防止される。例えば表示面がより大きい液晶表示装置１０では、輝度均一板２４もその表示面に合わせてより大きいものが用いられる。しかし輝度均一板２４の大型化は自重によるたわみを招く。このたわみを発生させないために輝度均一板２４の厚みを増加させると、この厚みの増加による光透過率の低下が、拡散板への出射光の輝度不足、又はこの輝度不足を回避するための、輝度均一板２４若しくはその他の構成要素の仕様変更を招くなどの影響がある。このように、輝度均一板２４のたわみ防止のためにその厚みを増加させるのは好適ではない。また、液晶表示装置１０が比較的小さい場合でも、本開示のように複数の貫通孔２４１を設けられることで輝度均一板２４がたわみやすくなる。たわんだ輝度均一板２４は、上述したような各反射領域２３２内の光源２１及び隔壁２３１との適切な位置関係が得られないため、輝度の均一度を上昇させることができない。
【００５８】
このような輝度均一板２４のたわみの影響を抑えるために、上述した支持柱２３４が設けられてもよい。なお、図６に示される支持柱２３４の形状、数量、及び配置は一例であり、これに限定されない。例えば反射シート２３ａの中央から突出して、輝度均一板２４の中央にある孔に嵌入する支持柱２３４の１個のみが設けられてもよい。また、格子状に並ぶ隔壁２３１の交わる位置に配置されてもよいし、図示のようにそれ以外の位置に配置されてもよい。また、支持柱２３４の先端が嵌入される輝度均一板２４の孔は、輝度均一板２４に所定の光透過率分布パターンを与えるための孔とは別途設けられる。このような支持柱２３４は、例えばポリカーボネートなどの高反射性の材料を射出成形などで加工して作成される。材料は反射シート２３ａと共通であってもよいし、異なってもよい。また、反射シート２３ａと一体で成形されてもよいし、反射シート２３ａとは別途作成されて反射シート２３ａに取り付けられてもよい。
【００５９】
しかしながら、このような支持柱２３４は、反射シート２３ａとの材料の違い又は周囲の隔壁２３１との形状の違いにより、輝度均一板２４の第１面に届く光の強さに影響する。この影響では、支持柱２３４周囲の第１面に届く光は、強くなる可能性も弱くなる可能性もある。つまり、輝度均一板２４に入射する光の強さのムラの原因となる。輝度均一板２４はこのような支持柱２３４に起因する光の強さのムラを抑えるような光透過率分布パターンを有してもよい。例えば、支持柱２３４によって支持される輝度均一板２４は、前記複数の隔壁に対向する領域において、支持柱２３４の周囲では単位面積あたりの開口面積と隔壁の頂部からの距離との間の正の相関がなくてもよい。また、この輝度均一板２４の隔壁に対向しない領域において、支持柱２３４の近傍では、上記のような単位面積あたりの開口面積と光源２１からの距離との正の相関がなくてもよい。
【００６０】
これにより、支持柱２３４を配置することに起因する輝度均一板２４の出射光の輝度のムラを抑え、その均一度を高めることができる。
【００６１】
［１−３．液晶表示装置の動作］
以上のように構成された液晶表示装置１０について、その動作を以下説明する。
【００６２】
各光源２１は、独立して点灯又は消灯の制御が行われる。光源２１が点灯されると、光源２１から出射した光は直接光として、この出射された光が反射シート２３、又は輝度均一板２４での反射を経て反射シート２３により反射された光は反射光として輝度均一板２４に入射する。このとき、各光源２１の周囲に設けられた、輝度均一板２４に向かって突出する畝状の隔壁２３１により、各反射領域２３２の光源２１が出射した光の、周囲の反射領域２３２への干渉が抑制される。
【００６３】
輝度均一板２４は、入射した光の輝度の均一度を高めて出射する。輝度均一板２４から出射された光は拡散板２５に入射する。
【００６４】
ここで、輝度均一板２４への入射光は、光源２１から出射されてからの移動距離や反射回数等に応じて減衰し、場所によってその強さにムラがある。
【００６５】
本開示では、輝度均一板２４の光透過率分布に、このような入射光の強さのムラと負の相関を持たせる。例えば輝度均一板２４に貫通孔２４１による開口を設けることで、その単位面積あたりの光透過率に場所による変化を付ける。より具体的には、入射光が相対的に強い領域では開口率が相対的に大きくなるよう、大きな貫通孔２４１が設けられるか、又は貫通孔２４１が高密度で設けられる。これは例えば隔壁２３１と対向しない領域であって、光源２１から離れた領域である。また、輝度均一板２４が隔壁２３１と対向する領域では、例えば隔壁２３１からの距離によって隔壁２３１からの反射光の減衰の程度が変化して入射光の強度にムラが生じる。したがって、この領域内では、隔壁２３１からの距離が相対的に短い場所では相対的に開口率を小さくし、この距離が長い場所では相対的に開口率を大きくするよう貫通孔２４１が設けられる。またはさらに、光源２１と対向して強い直接光を受ける領域では貫通孔２４１を設けない。これにより、輝度均一板２４への入射光の場所による強さの差が吸収され、拡散板２５への出射光の輝度の均一度を高めることができる。
【００６６】
また、図６に示されるような支持柱２３４が設けられる場合、支持柱２３４の光反射特性によって輝度均一板２４に入射する光の強度にムラが生じる。この光の強度のムラも、支持柱２３４の影響がある領域、例えば支持柱２３４の周囲で輝度均一板２４の単位面積あたりの光透過率に変化を付けることで吸収して、輝度均一板２４の出射光の均一度を高めることができる。
【００６７】
拡散板２５はこのように輝度の均一度が高められた光を拡散することでさらにその均一度を高めて出射する。拡散板２５から出射した光は、光学部２６でさらに拡散、集光されて液晶パネル１１に照射される。
【００６８】
［１−４．効果など］
以上のように、本開示に係るバックライト装置は、複数の畝状の隔壁で複数の反射領域に区画された反射面を有する反射シートと、前記反射面の前記複数の反射領域のそれぞれに配置される複数の光源と、前記反射面に対向する第１面で受けた前記複数の光源からの出射光及び前記反射シートからの反射光を透過させて、前記第１面と反対側の第２面から出射する輝度均一板と、前記第２面から出射した光を、拡散して出射する拡散板とを備えるバックライト装置であって、前記輝度均一板は、前記光源に対向する領域と、前記隔壁の頂部に対向する領域との間に、前記光源と対向する領域及び隔壁の頂部に対向する領域よりも単位面積あたりの光透過率が高い領域を含む。
【００６９】
これにより、輝度均一板２４は、場所によって異なる入射光の強さと負の相関を持つ光透過率分布を持ち、出射光の輝度の均一度を高める。
【００７０】
また、前記輝度均一板は、前記第１面と前記第２面との間を貫通する複数の貫通孔を有し、前記輝度均一板の前記単位面積あたりの前記貫通孔の開口面積と前記光透過率とが正の相関を有してもよい。開口を含む領域は光透過率が上昇する。また、単位面積あたりの開口面積を変えることで、当該開口を含む領域の光透過率を変えることができる。これにより、上記のような光透過率分布を輝度均一板２４に与えることができる。つまり、輝度均一板２４から拡散板２５に出射される光の輝度の均一度を高めることができる。
【００７１】
また、前記輝度均一板の、前記複数の隔壁に対向する領域の少なくとも一部では、前記単位面積あたりの開口面積と前記隔壁の頂部からの距離とが正の相関を有してもよい。つまり、輝度均一板２４の光透過率を、反射シート２３によって反射された光のうち、距離による減衰が小さい反射光を受ける領域では抑え、距離による減衰が大きい反射光を受ける領域では高くすることができる。これにより、輝度均一板２４から拡散板２５に出射される光の輝度の均一度を高めることができる。
【００７２】
また、前記輝度均一板の、前記複数の隔壁に対向しない領域の少なくとも一部では、前記単位面積あたりの開口面積と前記光源からの距離とが正の相関を有してもよい。つまり、輝度均一板２４の光透過率を、光源２１から出射された光のうち、距離による減衰が小さい直接光を受ける領域では抑え、距離による減衰が大きい直接光を受ける領域では高くすることができる。これにより、輝度均一板２４から拡散板２５に出射される光の輝度の均一度を高めることができる。
【００７３】
また、前記反射領域に対向する前記輝度均一板の領域内における前記単位面積あたりの光透過率は、前記光源と対向する領域において最小値をとり、前記光源と対向する領域と、前記隔壁の頂部に対向する領域との間で最大値をとってもよい。つまり、輝度均一板２４の光透過率は、反射領域２３２に対向する領域内で最も強い光を受ける領域で最も低い。また、この領域内で、上記の最も強い光を受ける領域が受ける光よりも減衰した直接光を受け、かつ反射シート２３から受ける反射光も減衰も大きい領域で光透過率が最も高い。これにより、輝度均一板２４から拡散板２５に出射される光の輝度の均一度を高めることができる。
【００７４】
また、前記反射シートは、前記複数の隔壁の上で前記輝度均一板に向かって突出して前記輝度均一板を支持する支持柱をさらに有し、前記複数の隔壁に対向する領域における前記支持柱の周囲では、前記単位面積あたりの開口面積と前記隔壁の頂部からの距離とが正の相関を有さない。これにより、輝度均一板２４を支持する支持柱２３４に起因する入射光の強度のムラも解消され、輝度均一板２４から拡散板２５に出射される光の輝度の均一度を高めることができる。
【００７５】
また、本開示に係る液晶表示装置は、液晶パネルと、前記液晶パネルの背面側に配置され、前記液晶パネルに対応する上記のいずれかのバックライト装置とを備える。これにより、エリア制御によって画面全体での高コントラストな表現をする液晶表示装置であって、輝度制御の単位のエリア内での輝度の均一度が高い液晶表示装置が提供される。
【００７６】
（他の実施の形態）
本開示において、本発明の実装の例示として、以上のように実施の形態及びその変形例を説明した。しかしながら、本発明はこれらに限定されず、適宜、変更、置き換え、付加、省略などを行った実施の形態にも適用可能である。また、上記実施の形態及びその変形例で説明した各構成要素を組み合わせて新たな実施の形態とすることも可能である。
【００７７】
なお、本開示における、各構成要素の形状、大きさ、及び構成要素間の大きさの比率は一例であり、これに限定するものではない。例えば、隔壁２３１の斜面はより緩やか又は急であってもよい。または、反射領域２３２内の場所によって隔壁２３１の斜面の緩急に差があってもよい。例えば平面視における反射領域２３２の四隅では隔壁２３１の斜面は緩やかで、図２や図３で示されるよりも光源２１の近くまで斜面があってもよい。この場合も、輝度均一板２４の開口率と、隔壁２３１の頂部又は光源２１からの距離との相関は上述のとおりである。
【００７８】
また、各構成要素の作成方法については、実施の形態に記載したものに限定されない。例えば輝度均一板２４は、材料である樹脂を射出成形して作成されてもよい。また、各構成要素の作成において、必要に応じて適用可能な各種の加工方法が用いられてもよい。例えば輝度均一板２４の貫通孔２４１は、プレス加工における打ち抜きによって設けられてもよいし、ドリルやレーザ等による孔開け加工等によって設けられてもよい。
【産業上の利用可能性】
【００７９】
本開示は、バックライト装置、及びバックライト装置を備える液晶表示装置全般に適用可能である。
【符号の説明】
【００８０】
１０  液晶表示装置
１１  液晶パネル
１２  ベゼル
２０  バックライト装置
２１  光源
２２  シャーシ
２３、２３ａ  反射シート
２３１、２３１ａ、２３１ｂ、２３１ｃ、２３１ｄ  隔壁
２３２  反射領域
２３３  開口部
２３４  支持柱
２４  輝度均一板
２４１  貫通孔
２５  拡散板
２６  光学部
２７  プリント基板
【図１】
2017110013.tif 000003
【図２】
2017110013.tif 000004
【図３】
2017110013.tif 000005
【図４】
2017110013.tif 000006
【図５】
2017110013.tif 000007
【図６】
2017110013.tif 000008
【国際調査報告】
2017110013.tif 000009
2017110013.tif 000010